(57)【要約】    【課題】施錠を解除して開閉体を不正に開ける不正行為を容易に防止できるようにする。    【解決手段】支持枠１にヒンジ３を介して開閉体２を開閉自在に装着し、ヒンジ３と反対側に開閉体２を閉状態で支持枠１に施錠する施錠装置４と、該施錠装置４を解除操作する操作手段３４とを備えている。施錠装置４は支持枠１側に設けられた施錠受け具３８と、開閉体２側に設けられ且つ施錠受け具３８に係脱自在に係合する施錠掛け具４１とを有する施錠手段３５を備え、磁力による吸着により施錠掛け具４１側を操作不能に拘束する吸着手段３７を備えている。【選択図】    図３
2010167311.tif 000002
【特許請求の範囲】
【請求項１】
支持枠（１）にヒンジ（３）を介して開閉体（２）を開閉自在に装着し、前記ヒンジ（３）と反対側に前記開閉体（２）を閉状態で前記支持枠（１）に施錠する施錠装置（４）と、該施錠装置（４）を解除操作する操作手段（３４）とを備えた遊技機において、前記施錠装置（４）は磁力により吸着して前記開閉体（２）を開放不能に拘束する吸着手段（３７）を含み、該吸着手段（３７）は鍵操作により解除可能であることを特徴とする遊技機。
【請求項２】
前記施錠装置（４）は前記支持枠（１）側に設けられた施錠受け具（３８）と、前記開閉体（２）側に設けられ且つ前記施錠受け具（３８）に係脱自在に係合する施錠掛け具（４１）とを有する施錠手段（３５）を備え、前記吸着手段（３７）は前記施錠掛け具（４１）側を操作不能に拘束するようにしたことを特徴とする請求項１に記載の遊技機。
【請求項３】
前記施錠受け具（３８）及び前記施錠掛け具（４１）を上下方向に複数個備え、前記各施錠掛け具（４１）を連動させる連動部材（４２）を設け、前記吸着手段（３７）は前記連動部材（４２）の前記被吸着部（３６）に対向して前記開閉体（２）側に設けたことを特徴とする請求項２に記載の遊技機。
【請求項４】
前記吸着手段（３７）は前記連動部材（４２）よりも内側にあり、該連動部材（４２）の前記被吸着部（３６）を内側から吸着可能であることを特徴とする請求項３に記載の遊技機。
【請求項５】
前記施錠装置（４）は、前記支持枠（１）側に設けられた施錠受け具（３８）、及び前記開閉体（２）側に設けられ且つ前記施錠受け具（３８）に係脱自在に係合する施錠掛け具（４１）を有する係合式施錠手段（３５）と、前記支持枠（１）に設けられた被吸着部（３６）を吸着する前記吸着手段（３７）を含む磁石式施錠手段（６２）とを備えたことを特徴とする請求項１に記載の遊技機。
【請求項６】
前記吸着手段（３７）は相互間に所定の間隔をおいて前記被吸着部（３６）に近接して配置された一対の吸着体（５２）と、該一対の吸着体（５２）間に回動自在に配置された永久磁石（５６）とを備え、前記永久磁石（５６）は前記各吸着体（５２）を介して前記被吸着部（３６）との間で磁路を形成する位置と、各吸着体（５２）との間で磁路を形成する位置とに鍵操作可能であることを特徴とする請求項１〜５に記載の遊技機。
【発明の詳細な説明】
【技術分野】
【０００１】
本発明は、パチンコ機、アレンジボール機、スロットマシン等の遊技機、取り分け開閉体を支持枠に閉状態で施錠する施錠装置の改良に関するものである。
【背景技術】
【０００２】
遊技機、例えばパチンコ機等の弾球遊技機は、左右方向の一側に、遊技盤を有する前枠を外枠に開閉自在に装着するヒンジを配置し、このヒンジと反対側に、上下一対の施錠手段とこれを解除操作する操作手段とからなる施錠装置を配置して、通常は施錠手段により前枠を閉状態で外枠に施錠しておき、必要に応じて前枠の前側から操作手段により施錠手段を解除して前枠をヒンジ廻りに開放できるようにしている。
【０００３】
この種の弾球遊技機では、遊技者等が不正に施錠手段を解除して前枠を開放する不正行為を防止できるように、施錠手段等に種々の不正防止対策を講じている（特許文献１〜３）。
【先行技術文献】
【特許文献】
【０００４】
【特許文献１】特開２００３−３２０１４１号公報
【特許文献２】特開２００１−１２０８１７号公報
【特許文献３】特開２００４−１５４３１６号公報
【発明の概要】
【発明が解決しようとする課題】
【０００５】
しかし、従来の施錠装置は、図１５に示すように上下一対の施錠手段１００と、この各施錠手段１００を連動させる連動部材１０１とを、外枠１０２と前枠１０３の嵌合枠部１０４との間に配置しているため、外枠１０２と前枠１０３との隙間から何等かの部材を挿入して施錠手段１００を解除する不正行為を確実に防止できない欠点がある。
【０００６】
即ち、各施錠手段１００は施錠受け具１０５と、この施錠受け具１０５に係脱自在に係合する施錠掛け具１０６とを備え、その施錠受け具１０５は外枠１０２の内側に固定され、また施錠掛け具１０６は嵌合枠部１０４の外側で前枠１０３に固定された支持部材１０７に横軸１０８により上下に回動自在に枢着されている。そして、操作手段（図示省略）の鍵操作により上下の各施錠掛け具１０６を連動して解除方向に操作する連動部材１０１が、支持部材１０７に沿って上下方向に配置されている。
【０００７】
従って、何等かの手段により前枠１０３に前側へと外力を加えて外枠１０２と前枠１０３との間に隙間を作れば、施錠手段１００の施錠掛け具１０６及び連動部材１０１がその隙間を介して露出するため、その隙間から工具等の不正部材を挿入して施錠掛け具１０６又は連動部材１０１を操作することが可能となり、前枠１０３を不正に開ける不正行為を確実に防止できないという欠点がある。
【０００８】
本発明は、かかる従来の問題点に鑑み、施錠を解除して開閉体を不正に開ける不正行為を容易に防止できる遊技機を提供することを目的とする。
【課題を解決するための手段】
【０００９】
本発明は、支持枠１にヒンジ３を介して開閉体２を開閉自在に装着し、前記ヒンジ３と反対側に前記開閉体２を閉状態で前記支持枠１に施錠する施錠装置４と、該施錠装置４を解除操作する操作手段３４とを備えた遊技機において、前記施錠装置４は磁力により吸着して前記開閉体２を開放不能に拘束する吸着手段３７を含み、該吸着手段３７は鍵操作により解除可能にしたものである。
【発明の効果】
【００１０】
本発明では、吸着手段３７の磁力により吸着して開閉体２を開放不能に拘束するようにしているので、施錠を解除して開閉体２を不正に開ける不正行為を容易に防止することができる。
【図面の簡単な説明】
【００１１】
【図１】本発明の第１の実施例を示すパチンコ機の正面図である。
【図２】同背面図である。
【図３】同施錠装置の一部破断斜視図である。
【図４】同施錠装置の縦断背面図である。
【図５】同施錠装置の縦断側面図である。
【図６】同吸着手段の横断平面図である。
【図７】同吸着手段の縦断側面図である。
【図８】同吸着手段の縦断側面図である。
【図９】同吸着手段の説明図である。
【図１０】本発明の第２の実施例を示す吸着手段の横断平面図である。
【図１１】本発明の第３の実施例を示す施錠装置の横断平面図である。
【図１２】同要部の拡大図である。
【図１３】本発明の第４の実施例を示す施錠装置の横断平面図である。
【図１４】同要部の縦断正面図である。
【図１５】従来例を示す斜視図である。
【発明を実施するための形態】
【００１２】
以下、本発明の実施例を図面に基づいて詳細に説明する。図１〜図９は本発明の第１の実施例を示し、図１、図２において、１は支持枠（遊技機本体）を構成する矩形枠状の外枠、２は開閉体を構成する前枠で、左右方向の一側で上下一対のヒンジ３を介して縦軸心廻りに開閉自在及び着脱自在に枢着され、ヒンジ３と反対側の前枠施錠装置４により閉状態で外枠１に施錠されている。
【００１３】
前枠２にはガラス扉５及び前面扉６がヒンジ３と略同一軸心のヒンジ３廻りに開閉自在に装着され、ヒンジ３と反対側のガラス扉施錠装置７及び前面扉施錠装置８により閉状態で前枠２に施錠されている。前枠２は外枠１内に嵌合する遊技盤装着枠９を裏側に備え、その遊技盤装着枠９にガラス扉５に対応して遊技盤１０が着脱自在に装着され、裏機構板１１、締結具１２により固定されている。
【００１４】
遊技盤１０の前面には、発射手段１３から発射された遊技球を案内するガイドレール１４が環状に装着されると共に、そのガイドレール１４の内側の遊技領域１５内に図柄表示手段１６、図柄始動手段１７、可変入賞手段１８、普通入賞手段１９等の複数の遊技部品が装着されている。
【００１５】
前面扉６には、発射用の遊技球を貯留するための供給皿２０が装着されている。前枠２の下部には、余剰球を受ける受け皿２１、発射手段１３、灰皿２２が設けられている。発射手段１３は、発射ハンドル２３を操作したときに駆動モータ２４が作動して、供給皿２０から発射レール２５上に供給される遊技球を打撃槌２６により打撃して遊技盤１０のガイドレール１４側へと発射させるようになっている。ガラス扉５は遊技領域１５を視認可能になっている。
【００１６】
裏機構板１１はヒンジ３と同じ側のヒンジ２７により開閉自在に枢着され、遊技盤１０を押圧するように締結具１２により遊技盤装着枠９に締結されている。裏機構板１１には、その中央部に裏カバー２８が嵌合する開口部２９が形成され、この開口部２９の上側に遊技球タンク３０とタンクレール３１が、左右一側に払い出し手段３２が、下側に通路ユニット３３が夫々設けられている。払い出し手段３２は遊技球の払い出し指令があったときに、遊技球タンク３０内の遊技球をタンクレール３１を経て払い出し、その遊技球を通路ユニット３３を経て供給皿２０へと案内するようになっている。
【００１７】
前枠２の一方の縦枠部側には、図２〜図５に示すように、外枠１との間に前枠施錠装置４が、ガラス扉５との間にガラス扉施錠装置７が、前面扉６との間に前面扉施錠装置８が夫々設けられている。前枠施錠装置４、ガラス扉施錠装置７は、操作手段３４の鍵操作により解除可能になっている。前枠施錠装置４は前枠２を閉状態で施錠する係合式前枠施錠手段３５と、この前枠施錠手段３５の被吸着部３６を磁力により吸着して前枠２を開放不能に拘束する吸着手段３７とを備えている。
【００１８】
前枠施錠手段３５は外枠１の一方の縦枠部の内側に固定された上下方向に複数、例えば上下一対の施錠受け具３８と、前枠２の裏側の支持部材３９に横軸４０廻りに上下揺動自在に枢支され且つ前枠２を閉閉状態にしたときに各施錠受け具３８に係脱自在に係合する上下一対の施錠掛け具４１と、この上下の施錠掛け具４１を連動させる連動部材４２とを有する。
【００１９】
支持部材３９は固定部３９ａを有する断面Ｌ字状であって、外枠１の縦枠部に近接して上下の前枠施錠手段３５間に上下方向に配置され、その固定部３９ａがネジ等で前枠２の裏側に固定されている。連動部材４２は支持部材３９に沿って上下動自在に配置され、上下両端の連結軸４３を介して各施錠掛け具４１に連結されている。なお、この連動部材４２と固定部３９ａとの間に施錠掛け具４１を係合方向に付勢するバネ４４が設けられている。
【００２０】
ガラス扉施錠装置７は、ガラス扉５の上部側に固定された施錠受け具（図示省略）と、ガラス扉５を閉状態にしたときに施錠受け具に係脱自在に係合する施錠掛け具４５とを有し、この施錠掛け具４５に連動する連動部材４６が支持部材３９と連動部材４２との間に上下動自在に配置されている。
【００２１】
操作手段３４は連動部材４２等の外側に配置されており、前枠２に装着された保持ケース４８と、保持ケース４８に回動自在に保持された操作軸４９と、操作軸４９の後端に固定された回動体５０とを備え、回動体５０には各連動部材４２，４６の係合孔４２ａ，４６ａに係合する係合突起４２ｂ，４６ｂが設けられている。保持ケース４８は前枠２の化粧カバー２ａ側から鍵５１を挿入できるように鍵穴を有し、その鍵５１により操作軸４９を正逆方向に回動操作可能になっている。
【００２２】
そして、操作手段３４は、図４に示すように、保持ケース４８内の鍵孔に鍵５１を挿入して正方向（ａ矢示方向）に回動操作したときに、回動体５０の係合突起４２ｂに係合する連動部材４２が上方向（ｂ矢示方向）に移動して上下の前枠施錠手段３５の施錠掛け具４１を解除方向に回動させ、逆方向（ｃ矢示方向）に回動操作したときに、回動体５０の係合突起４６ｂに係合する連動部材４２が下方向（ｄ矢示方向）に移動してガラス扉施錠装置７の施錠掛け具４５を解除方向に回動させるようになっている。
【００２３】
吸着手段３７は連動部材４２よりも外側で操作手段３４の近傍にて前枠２側に設けられており、連動部材４２の上下方向の中間の被吸着部３６を磁力により吸着して、連動部材４２、施錠掛け具４１を操作不能に拘束するようになっている。連動部材４２と一体の被吸着部３６は、鉄系材料等の磁性材により構成され、前枠２に近接して外側へとＬ字状に屈曲して形成されている。
【００２４】
吸着手段３７は図６〜図９に示すように、互いに所定の間隔をおいて被吸着部３６に近接状に配置され且つ磁性材により構成された一対の吸着体５２と、この一対の吸着体５２間に介在された非磁性体５３と、この吸着体５２及び非磁性体５３の被吸着部３６と反対側の凹部５４内に前後方向の操作軸５５廻りに配置され且つ略軸対称にＮ極、Ｓ極が着磁された永久磁石５６とを保持ケース５７内に備え、その永久磁石５６の磁力により一対の吸着体５２で被吸着部３６を吸着するようになっている。
【００２５】
保持ケース５７は前枠２に裏側から装着されている。吸着体５２、非磁性体５３は保持ケース５７に接着その他で固定されている。永久磁石５６は凹部５４内で回動自在であり、Ｎ極、Ｓ極を各吸着体５２に対応させたときに、Ｎ極から一方の吸着体５２、被吸着部３６、他方の吸着体５２を経てＳ極に至る磁路が形成されて被吸着部３６を吸着し、Ｎ極、Ｓ極を非磁性体５３に沿う方向に位置させたときに、Ｎ極から吸着体５２を経てＳ極に至る磁路が形成されて被吸着部３６の吸着を解除するようになっている。
【００２６】
操作軸５５は永久磁石５６の前側で保持ケース５７内に回動自在に設けられ、鍵孔に前から挿入された鍵５１の操作により、永久磁石５６を正逆方向に回動操作可能である。なお、操作軸５５はその後端の係合部５５ａが永久磁石５６の被係合部５６ａに係合して永久磁石５６を回動操作するようになっている。また操作軸５５は、図外の位置決め機構により開位置、閉位置で夫々位置決め可能である。鍵５１は操作手段３４、吸着手段３７の両方に共通にすることが望ましい。
【００２７】
上記構成のパチンコ機において、前枠２を外枠１側へとヒンジ３廻りに閉じて行くと、前枠施錠手段３５の施錠掛け具４１が施錠受け具３８に係合して前枠２を外枠１に対して施錠する。その後、吸着手段３７を開位置から閉位置へと鍵操作して前枠施錠手段３５を操作不能に拘束する。
【００２８】
即ち、吸着手段３７の鍵孔が開位置に向いている場合には、図９（Ａ）に示すように永久磁石５６が非磁性体５３に沿った状態にあり、永久磁石５６とその両側の一対の吸着体５２との間で磁路を形成するため、連動部材４２は解除状態にある。従って、前枠２を閉じて行くと、施錠掛け具４１はバネ４４に抗しながら横軸４０廻りに回動して施錠受け具３８に係合する。
【００２９】
次に吸着手段３７の鍵孔に鍵５１を挿入して開位置から閉位置へと図９（Ａ）のｅ矢示方向に操作する。すると永久磁石５６が操作軸５５を介してｅ矢示方向に回動して、永久磁石５６が図９（Ｂ）に示すように一対の吸着体５２と対向するため、図８に示すように一対の吸着体５２を介して永久磁石５６と連動部材４２の被吸着部３６との間に磁路が形成される。そして、この磁路に沿って磁束が通るため、永久磁石５６の磁力により連動部材４２の被吸着部３６が一対の吸着体５２に吸着されて固定状態となる。
【００３０】
従って、仮に前枠２と外枠１との間の隙間から前枠施錠手段３５側へと工具等を挿入して施錠掛け具４１を不正に解除方向に操作しようとしても、連動部材４２が吸着手段３７により固定されて上下動不能に拘束されており、施錠掛け具４１を操作することはできない。このため前枠２を開放して行う不正行為を未然に防止することができる。
【００３１】
前枠２を開放する場合には、吸着手段３７の鍵孔に鍵５１を挿入して開位置へと操作し、永久磁石５６による連動部材４２の拘束を解除する。これによって連動部材４２が自在に上下動可能になるので、操作手段３４に鍵５１を挿入して開方向（ａ矢示方向）へと操作すると、従来と同様に前枠施錠手段３５を解除することができる。
【００３２】
図１０は本発明の第２の実施例を例示する。この実施例では、吸着手段３７は連動部材４２をその内側から一対の吸着体５２により吸着するようになっている。吸着手段３７は、永久磁石５６等の他に、第１の実施例の吸着体５２と略同形状の一対の磁性体６０と、この各磁性体６０から後側方に延びる一対の吸着体５２とを有する。
【００３３】
この吸着手段３７の後部側は外枠１内に嵌合する嵌合枠部、例えば遊技盤装着枠９内に配置されており、一対の吸着体５２が開口６１から突出して連動部材４２の内側に対向している。吸着体５２は磁性材の帯板等を屈曲して形成されており、連動部材４２に近接する吸着部５２ａが一端に設けられると共に、他端が磁性体６０に接触している。なお、磁性体６０、吸着体５２等は合成樹脂等の非磁性材からなる保持ケース５７内にモールドされている。その他の構成は第１の実施例と同様である。
【００３４】
このような構成の吸着手段３７を採用してもよい。また、この実施例では、吸着手段３７の一対の吸着体５２が連動部材４２に内側から対向しているため、連動部材４２の一部を直接被吸着部３６として利用することが可能である。
【００３５】
図１１、図１２は本発明の第３の実施例を例示する。この実施例では、係合式前枠施錠手段３５と、吸着手段３７を有する磁石式前枠施錠手段６２とを併用したものである。係合式前枠施錠手段３５は、第１の実施例と同様に、外枠１側の上下一対の施錠受け具３８と、前枠２の裏側に支持部材３９を介して横軸４０により枢支され且つ施錠受け具３８に係脱自在に係合する施錠掛け具４１と、上下の施錠掛け具４１を連動させる連動部材４２等を有する。
【００３６】
磁石式前枠施錠手段６２は、外枠１の前端に装着された磁性材製の被吸着部３６と、前枠２を閉状態にしたときに被吸着部３６を吸着可能な吸着手段３７とを有する。被吸着部３６は断面Ｌ字状に構成され、また吸着部分を外側から覆うように、その外端側には前枠２の凹部２ｂ内に突出する屈曲部６３が設けられている。
【００３７】
吸着手段３７は第１の実施例と同様に、保持ケース５７内に一対の吸着体５２、非磁性体５３、操作軸５５、永久磁石５６等を有し、その永久磁石５６により吸着体５２を介して被吸着部３６を吸着して施錠するようになっている。永久磁石５６は、前側からの鍵操作により、操作軸５５を介して開位置と閉位置とに回動操作可能である。
【００３８】
この場合には、永久磁石５６を閉位置にした状態で前枠２を閉じると、係合式前枠施錠手段３５及び磁石式前枠施錠手段６２により前枠２を外枠１に施錠することができる。即ち、前枠２を閉じると、磁石式前枠施錠手段６２側では永久磁石５６、一対の吸着体５２、被吸着部３６を介して磁路が形成され、永久磁石５６により一対の吸着体５２を介して被吸着部３６が吸着されるので、その磁力により前枠２を施錠することができる。
【００３９】
また前枠２を開放する場合には、吸着手段３７の永久磁石５６を開位置へと操作して磁石式前枠施錠手段６２による施錠を解除した後、施錠掛け具４１を施錠受け具３８から外して係合式前枠施錠手段３５による施錠を解除する。
【００４０】
このように係合式前枠施錠手段３５と磁石式前枠施錠手段６２とを併用して前枠２を外枠１に施錠する場合にも、係合式前枠施錠手段３５のみの場合に比較して、前枠２を開放して行う不正行為を容易に防止することができる。
【００４１】
図１３、図１４は本発明の第４の実施例を例示する。この実施例では、磁石式前枠施錠手段６２の吸着手段３７は、外枠１に固定された磁性体６５と、前枠２側に操作軸５５を介して設けられた永久磁石５６とを備えている。磁性体に６５は、永久磁石５６に対向して開口等の切欠き部６６が形成されると共に、その切り欠き部６６内に突出する一対の被吸着部３６が設けられている。永久磁石５６は各磁極が一対の被吸着部３６と対向する閉位置と、一対の被吸着部３６間に位置する閉位置との間で操作軸５５廻りに回動可能であり、鍵５１により操作するようになっている。
【００４２】
この場合には、永久磁石５６を２点鎖線で示すように閉位置に操作すれば、永久磁石５６、被吸着部３６、磁性体６５の間で磁路が形成されるので、永久磁石５６が磁性体６５の被吸着部３６を吸着して前枠２を施錠する。また永久磁石５６を開位置にすれば、前枠２の施錠を解除できる。従って、このような構成の吸着手段３７を採用することも可能である。
【００４３】
なお、第４の実施例に示す吸着手段３７を第１、第２の実施例の吸着手段３７として採用することも可能である。
【００４４】
以上、本発明の各実施例について詳述したが、本発明は各実施例に限られるものではなく種々の変更が可能である。例えば、第１、第２の実施例の前枠施錠装置４は、施錠受け具３８、施錠掛け具４１を有する前枠施錠手段３５と、この前枠施錠手段３５を拘束する吸着手段３７とを備えているが、その前枠施錠手段３５、吸着手段３７は他の構造でもよい。吸着手段３７は永久磁石５６に代えて電磁石を使用してもよい。
【００４５】
また第１、第２の実施例では、吸着手段３７により連動部材４２を直接的又は間接的に吸着するようにしているが、施錠掛け具４１側を吸着するようにしてもよい。要するに吸着手段３７は、前枠施錠手段３５を作動不能に拘束できるものであればよい。
【００４６】
更に実施例では、係合式前枠施錠手段３５の中に吸着手段３７を備えたもの（第１、第２の実施例）と、吸着手段３７を有する磁石式前枠施錠手段６２と係合式前枠施錠手段３５とを併用するもの（第３、第４の実施例）とを例示しているが、磁石式前枠施錠手段６２を単独で採用してもよい。
【００４７】
また実施例では開閉体として前枠２を採用し、その前枠２用の施錠装置を例示しているが、支持体を介して開閉自在な開閉体を備えた遊技機であれば、前枠２以外の開閉体でもよい。従って、ガラス扉施錠装置７等のパチンコ機の各種の施錠装置は勿論のこと、弾球遊技機、スロットマシンを含む各種の遊技機でも同様に実施することができる。
【符号の説明】
【００４８】
１  外枠（支持枠）
２  前枠（開閉体）
３  ヒンジ
４  施錠装置
３４  操作手段
３７  吸着手段
３８  施錠受け具
４１  施錠掛け具
３５  施錠手段
４２  連動部材
３６  被吸着部
６２  磁石式施錠手段
５２  吸着体
５６  永久磁石
【図１】
2010167311.tif 000003
【図２】
2010167311.tif 000004
【図３】
2010167311.tif 000005
【図４】
2010167311.tif 000006
【図５】
2010167311.tif 000007
【図６】
2010167311.tif 000008
【図７】
2010167311.tif 000009
【図８】
2010167311.tif 000010
【図９】
2010167311.tif 000011
【図１０】
2010167311.tif 000012
【図１１】
2010167311.tif 000013
【図１２】
2010167311.tif 000014
【図１３】
2010167311.tif 000015
【図１４】
2010167311.tif 000016
【図１５】
2010167311.tif 000017
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
支持枠（１）にヒンジ（３）を介して開閉体（２）を開閉自在に装着し、前記ヒンジ（３）と反対側に前記開閉体（２）を閉状態で前記支持枠（１）に施錠する施錠装置（４）と、前記開閉体（２）に設けられ且つ前記施錠装置（４）を鍵操作により解除する操作手段（３４）とを備えた遊技機において、前記施錠装置（４）は、前記支持枠（１）側に設けられた施錠受け具（３８）、及び前記開閉体（２）側に設けられ且つ前記施錠受け具（３８）に係脱自在に係合する施錠掛け具（４１）を有する係合式施錠手段（３５）と、前記支持枠（１）に設けられた被吸着部（３６）、及び前記開閉体（２）に設けられ且つ前記被吸着部（３６）を磁力により吸着して前記開閉体（２）を前記支持枠（１）に対して開放不能に拘束する吸着手段（３７）を含む磁石式施錠手段（６２）とを備え、前記操作手段（３４）及び前記吸着手段（３７）は共通の鍵操作により解除操作可能であることを特徴とする遊技機。
【請求項２】
前記吸着手段（３７）は相互間に所定の間隔をおいて前記被吸着部（３６）に近接して配置された一対の吸着体（５２）と、該一対の吸着体（５２）間に対応する操作軸（５５）により回動自在に支持され、且つ前記鍵操作により、両端の磁極が前記一対の吸着体（５２）に対応する吸着位置と両端の磁極が前記一対の吸着体（５２）間に対応する解除位置との間で前記操作軸（５５）廻りに回動する永久磁石（５６）とを備え、前記吸着位置では前記永久磁石（５６）の両端の磁極と前記被吸着部（３６）との間で前記一対の吸着体（５２）を介して磁路を形成し、前記解除位置では前記永久磁石（５６）の両端の磁極と前記一対の吸着体（５２）との間で前記被吸着部（３６）を介さずに磁路を形成することを特徴とする請求項１に記載の遊技機。
【手続補正２】
【補正対象書類名】明細書
【補正対象項目名】０００９
【補正方法】変更
【補正の内容】
【０００９】
本発明は、支持枠１にヒンジ３を介して開閉体２を開閉自在に装着し、前記ヒンジ３と反対側に前記開閉体２を閉状態で前記支持枠１に施錠する施錠装置４と、前記開閉体２に設けられ且つ前記施錠装置４を鍵操作により解除する操作手段３４とを備えた遊技機において、前記施錠装置４は、前記支持枠１側に設けられた施錠受け具３８、及び前記開閉体２側に設けられ且つ前記施錠受け具３８に係脱自在に係合する施錠掛け具４１を有する係合式施錠手段３５と、前記支持枠１に設けられた被吸着部３６、及び前記開閉体２に設けられ且つ前記被吸着部３６を磁力により吸着して前記開閉体２を前記支持枠１に対して開放不能に拘束する吸着手段３７を含む磁石式施錠手段６２とを備え、前記操作手段３４及び前記吸着手段３７は共通の鍵操作により解除操作可能にしたものである。